【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
反射光と内部参照光とを比較して
被測定物までの距離を測定する光波距離計であって、
所定の広がりの光束を光軸に沿って射出する光源と、前記光軸上に配置可能であり、
前記光軸と直交して水平方向に伸びるスリット開口を備え、前記光源からの前記光束の広がり幅を絞る絞り部材と、前記光源と前記絞り部材との間に配置され、前記光束が前記スリット開口と、このスリット開口を上下に挟み、前記スリット開口の高さ寸法の１．５倍以上の高さ寸法の領域に射出する光束拡開手段と、
を含み、
前記光波距離計で設定された測定距離における前記被測定物からの前記反射光が距離測定可能な基準値以上になるように前記光源の光量を設定した、ことを特徴とする光波距離計。
【請求項２】
前記絞り部材は、前記スリット開口を上下方向に調整する調整部材を備えることを特徴とする請求項１に記載の光波距離計。
【請求項３】
前記絞り部材は、前記スリット開口を前記絞り部材の使用時には上下方向に調整できない状態に固定されていることを特徴とする請求項１に記載の光波距離計。
【請求項４】
前記光束拡開手段は、コリメートレンズであることを特徴とする請求項１から請求項３までの何れか一項に記載の光波距離計。
【手続補正２】
【補正対象書類名】明細書
【補正対象項目名】全文
【補正方法】変更
【補正の内容】
【発明の詳細な説明】
【発明の名称】光波距離計
【技術分野】
【０００１】
本発明は、測定物で反射された測定光を受光する受光光学系と、測定物に測定光を照射する射出光学系とを備え、目標までの距離を測定する光波距離計に関する。
【背景技術】
【０００２】
上述の光波距離計は、変調した所定波長領域の測定光を被測定物に照射し、被測定物からの反射光を受光して、内部参照光と受光された測定光との位相差から測定物までの距離を測定する。
【０００３】
図５は従来の光波距離計の構成を示す断面図である。この光波距離計４００は、対物レンズ４１０と、２つの反射面を備えるプリズム４２０と、光源４３０と、射出光学系４４０と、反射鏡４５０と、ダイクロイックミラー４６０と、視準光学系４７０と、受光素子４８０とを備える。
【０００４】
対物レンズ４１０は、光軸Ｏａに配置した３枚のレンズで構成される。プリズム４２０は、対物レンズ４１０の後方の光軸Ｏａ上に配置され、光軸Ｏａに対して４５度の角度をなす平行２つの反射面、即ち測定光を射出する方向に反射する射出用反射面４２１と、入射した測定光を受光素子４８０に向け反射する受光用反射面４２２とを備える。
【０００５】
光源４３０は所定波長領域の光を発生する。射出光学系４４０は、光軸Ｏａと平行な光軸Ｏｂに配置され、光源４３０からの光を平行光にするコリメータ４４１と、測定光を断続的に遮断する光チョッパ４４２と、絞り部材４４３とを備える。反射鏡４５０は、光軸Ｏｂに４５度の角度で配置され射出光学系４４０からの測定光の方向を９０度変更して、プリズム４２０の射出用反射面４２１に向け、光軸Ｏｃに沿って測定光を反射する。この射出用反射面４２１で反射された測定光は、対物レンズ４１０を経て測定物に射出される。
【０００６】
測定物からの反射光は、対物レンズ４１０を経てダイクロイックミラー４６０に至る。ダイクロイックミラー４６０は、入射した光から、所定波長帯域の測定光を反射し、他の光を透過させ視準光学系４７０に射出する。ダイクロイックミラー４６０で反射された測定光は、プリズム４２０の受光用反射面４２２で反射され、受光素子４８０に入射する。
【０００７】
このような光波距離計において絞り部材は、光源からの光を絞るものであり、光源から射出される光の配光特性に合わせて選択される。即ち、光源からの光が最も効率よく射出されるように選定され、設置される。
【先行技術文献】
【特許文献】
【０００８】
【特許文献１】特開２０１４−１４９１７１号公報
【発明の概要】
【発明が解決しようとする課題】
【０００９】
このタイプの光波距離計では、精密測定を行うため被測定物に再帰性のプリズムを配置しプリズムに測定光を照射するプリズムモードと、被測定物に直接測定光を照射して測定を行うノンプリズムモードとで測定を行うことができる。そして、プリズムモードでは、絞り部材４４３を使用し、ノンプリズムモードでは絞り部材４４３を使用せずに測定を行う。ノンプリズムモードでは、絞り部材４４３を光軸Ｏｂから外すように移動し、大光束の測定光を被測定物に照射して測定を行う。
【００１０】
このため、絞り部材４４３は絞り部材を保持するアーム部材を、軸を中心に回動させて、絞り部材４４３を光軸Ｏｂに配置することと、絞り部材４４３を光軸Ｏｂから外すことができる。そして、絞り部材４４３に設けられる絞りの開口形状は、上述したように、水平方向に形成されたスリット形状であり、例えば幅寸法が例えば０．７ｍｍ程度である。このスリットの幅寸法は、測定精度と、測定光の到達距離とのバランスで定められており、一般的に装置の種類によらず同程度である。従来この絞り部材４４３には、光源４３０からの光束がコリメータ４４１を介して照射される。
【００１１】
しかし、従来の光波距離計にあっては、絞り部材４４３の位置調整が煩雑であるという問題がある。即ち、絞り部材は製造時にプリズムモードで使用する状態において、光源からの光束が正しく照射されるように正確に光軸Ｏｂに配置されるように位置調整する必要がある。また、光波距離計４００を長期間使用していると、絞り部材４４３の配置位置がずれることがあり、この場合も絞り部材４４３の位置を調整しなければならない。
【００１２】
本発明は上述した課題に鑑みてなされたものであり、製造時や経年使用時において絞り部材の位置調整を行わなくとも距離測定を正確に行うことができる光波距離計を提供することを目的とする。
【課題を解決するための手段】
【００１３】
前記課題を解決するため、請求項１に記載の発明は、反射光と内部参照光とを比較して
被測定物までの距離を測定する光波距離計であって、所定の広がりの光束を光軸に沿って
射出する光源と、前記光軸上に配置可能であり、前記光軸と直交して水平方向に伸びるス
リット開口を備え、前記光源からの前記光束の広がり幅を絞る絞り部材と、前記光源と前
記絞り部材との間に配置され、前記光束が前記スリット開口と、このスリット開口を上下
に挟み、前記スリット開口の高さ寸法の１．５倍以上の高さ寸法の領域に射出する光束拡開手段と、を含み、前記光波距離計で設定された測定距離における前記被測定物からの前記反射光が距離測定可能な基準値以上になるように前記光源の光量を設定した、ことを特徴とする光波距離計である。
【００１４】
請求項２に記載の発明は、請求項１に記載の光波距離計において、前記絞り部材は、前記スリット開口を上下方向に調整する調整部材を備えることを特徴とする。
【００１５】
請求項３に記載の発明は、請求項１に記載の光波距離計において、前記絞り部材は、前記スリット開口を前記絞り部材の使用時には上下方向に調整できない状態に固定されていることを特徴とする。
【００１６】
請求項４に記載の発明は、請求項１から請求項３までの何れか一項に記載の光波距離計において、前記光束拡開手段は、コリメートレンズであることを特徴とする。
【発明の効果】
【００１７】
本発明に係る光波距離計によれば、製造時や経年使用時において絞り部材の位置調整を行わなくとも距離測定を正確に行うことができる。
【００１８】
即ち請求項１に記載の光波距離計によれば、光源からの光束は光束拡開手段により拡開されて、絞り部材の位置で、スリット開口の高さ寸法の１．５倍以上の高さ寸法の領域に射出されるとともに測定距離における前記被測定物からの前記反射光が距離測定可能な基準値以上になり、スリット開口の光軸に対する位置変化の許容度が大きくなる。このため、製造時において絞り部材を、位置の調整をしないで取付けベースに取付けたとしてもスリット開口の取付け位置を基準内に収めることができる。また、経年変化による絞り部材の位置変化は、基準内に収まる。よって、製造時や経年使用時において絞り部材の位置調整を行わなくとも距離測定を正確に行うことができる。
【００１９】
また、請求項２に記載の光波距離計によれば、絞り部材は、前記スリット開口を上下方向に調整する調整部材を備えるので、絞り部材が大きく移動した場合には絞り部材の位置調整を行うことができる。
【００２０】
また、請求項３に記載の光波距離計によれば、絞り部材は、前記スリット開口を絞り部材の使用時には上下方向に調整できない状態に固定されるので、位置調整のための機構を省略できる。
【００２１】
そして、請求項４に記載の光波距離計によれば、光束拡開手段は、コリメートレンズという簡単な光学素子で実現できる。
【図面の簡単な説明】
【００２２】
【図１】本発明の実施形態に係る光波距離計を示す正面図である。
【図２】同光波距離計を示す断面図である。
【図３】同光波距離計の光学系を示すものであり、（ａ）は測定光射出の状態を示す模式図、（ｂ）は内部参照光射出の状態を示す模式図である。
【図４】同光波距離計の内部機構の構成を示す光波距離計の斜視図である。
【図５】同光波距離計の絞り部材の配置状態を示す斜視図である。
【図６】従来の光波距離計の構成を示す断面図である。
【発明を実施するための形態】
【００２３】
本発明を実施するための形態に係る光波距離計について説明する。
【００２４】
図１は本発明の実施形態に係る光波距離計を示す正面図である。第１実施形態に係る光波距離計１００は、図１に示すように、三脚（図示せず）に取付けられる基台部１０１に架台１０２が設けられ、この架台１０２には光学系を含む望遠鏡部１０３が支持されている。前記基台部１０１は整準ねじ１０４を有し、架台１０２が水平となる様に整準可能となっている。架台１０２は鉛直軸心を中心に回転可能であり、望遠鏡部１０３は水平軸心を中心に回転可能となっている。また、架台１０２には表示部１０６を有する操作入力部１０７が設けられ、前記表示部１０６には測定対象物までの距離の測定値等が表示される。
【００２５】
次に光波距離計１００の光学系について説明する。図２は同光波距離計を示す断面図、図３は同光波距離計の光学系を示すものであり、（ａ）は測定光射出の状態を示す模式図、（ｂ）は内部参照光射出の状態を示す模式図である。
【００２６】
光波距離計１００は、筐体１１０内に、鏡筒１２０と、ベース部１３０が形成されている。また、図２に示すように、光波距離計１００は、光学系２００として、受光光学系である対物レンズ系２１０と、測定光を射出して測定物に照射する射出光学系２２０と、対物レンズ系２１０からの測定光を光ファイバ２６０に導く射出反射光学系２４０とを備える。また光学系２００は、受光反射光学系２５０と、視準光学系２７０とを備える。光ファイバ２６０は、光センサー２６１（図３参照）に測定光を導く。視準光学系２７０は対物レンズ系２１０からの被測定物像を目視できるようにして、光波距離計１００の方向を決定したり補正したりするために使用される。
【００２７】
ベース部１３０は、合金物型からのブランク材からなり、後加工を行っていない。寸法精度は例えば０．３ｍｍとしている。このため、ベース部１３０には、光学系の各部材の取付け部を形成することにより、各部材を調整することなしに各方向に、±０．１５ｍｍの精度で配置することができる。
【００２８】
対物レンズ系２１０は、鏡筒１２０に配置され、被測定物であるプリズム２８０に向かう第１光軸Ｏ１を備え、被測定物からの光を集光する。対物レンズ系２１０は、３枚のレンズを備えており、各種収差が補正され全体で正のパワーを備える。射出光学系２２０は、ベース部１３０に配置され、第１光軸Ｏ１と平行な第２光軸Ｏ２を備え、光源２３０からの光を平行光である測定光として射出する。光源２３０は、例えば赤外線を発生するレーザーダイオードである。
【００２９】
射出光学系２２０は、光束拡開手段であるコリメートレンズ２２１と、射出光を断続的に遮断し射出光を、光源から取得された内部参照光として取り出す台形プリズム２２５を備えたチョッパ２２６と、マイコンなどにより制御されて外光束光量を調整するサーキュラー２２２と手動で回転位置を設定することにより内部参照光の光量を調整する濃度フィルター３１０、と絞り部材２２４とを備える。濃度フィルター３１０は、円周上に濃度勾配を備えた円板状の部材である。また、サーキュラー２２２は、測定光出射光量の調整用に円周上に濃度勾配がついている濃度フィルターを備え、サーキュラー駆動モータ２２３で回転駆動される円板状の部材である。
【００３０】
コリメートレンズ２２１は、光源２３０からの光束を所定の広がり寸法を備える平行光束にする。コリメートレンズ２２１から射出される光束の広がり幅を絞り部材２２４における直径ｄとして例えば１５ｍｍとする。この光束の直径ｄは、後述する絞り部材２２４のスリット開口２２４ａの高さ寸法ｈの少なくとも１．５倍とする。図４に絞り部材２２４に照射した光束の領域Ｌｆを示した。本実施形態では、スリット開口２２４ａの高さ寸法ｈを０．７ｍｍとし、コリメートレンズ２２１は、光源２３０からの光束を、高さ寸法ｈの２０倍としている。これにより、絞り部材２２４のスリット開口２２４ａの配置位置精度の許容量が増す。また、絞り部材２２４は、絞り駆動モータ３２３で第２光軸Ｏ２から外すことができる。詳細については後述する。
【００３１】
更に、チョッパ２２６はチョッパ駆動モータ２２７で回転駆動され、所定のタイミングで、第２光軸Ｏ２上のコリメートレンズ２２１の前側に出没するように駆動される。ここで、チョッパ２２６には、コリメートレンズ２２１を覆う板部２２６ａが形成されている。また、台形プリズム２２５は、図３（ｂ）に示すように２つの反射面２２５ａ、２２５ｂを備え、内部参照光を光センサー２６１に導く。
【００３２】
測定光の射出時には、図３（ａ）に示すように、チョッパ２２６は、コリメートレンズ２２１の射出口から外れ、光源２３０からの光は、サーキュラー２２２で断続的に遮られながら反射鏡２４１に向け、射出される。なお、図３（ａ）において、内部参照光の光軸を一点鎖線で示し、測定光の光路を矢印付の実線で示している。３（ａ）示した状態では、内部参照光は生成されてない。
【００３３】
内部参照光の射出時には、図３（ｂ）に示すように、チョッパ２２６はコリメートレンズ２２１の射出口に台形プリズム２２５の反射面２２５ａが配置される状態となる。この状態で、光源２３０からの光は、コリメートレンズ２２１を経て、台形プリズム２２５の反射面２２５ａ、２２５ｂで反射されて濃度フィルター３１０に向け射出される。濃度フィルター３１０で濃度調整された内部参照光は、光ファイバ２６３に入射する。このとき、コリメートレンズ２２１の開口は、板部２２６ａで完全に覆われるので、対物レンズ系２１０側には光は入射しない。光ファイバ２６３は、光ファイバ２６０と合流し、光ファイバ２６３からの内部参照光と、光ファイバ２６０からの測定光は同一の光センサー２６１で検出される。なお、図３（ｂ）において、内部参照光の光路を矢印付の実線で示し、測定光の光軸を一点鎖線で示している。３（ｂ）示した状態では、測定光は生成されてない。
【００３４】
射出反射光学系２４０は、第２光軸Ｏ２上に斜めに反射面を形成した反射鏡２４１と、対物レンズ系２１０の入射側（外側）に配置される第２反射手段である送光反射プリズム２４２とを備える。送光反射プリズム２４２は第１光軸Ｏ１上に傾斜した反射面２４２ａを備える。この例では対物レンズ系２１０の外側には、平行平面ガラスであるカバーガラス２８１が配置され、送光反射プリズム２４２は、このカバーガラス２８１の内側に接着されて配置されている。
【００３５】
受光反射光学系２５０は、ダイクロイックミラー２５１と、このダイクロイックミラー２５１からの光を直角方向に反射する受光反射部材である受光反射プリズム２５２とから構成される。ダイクロイックミラー２５１は、鏡筒１２０に配置され、対物レンズ系２１０から第１光軸Ｏ１に沿って入射する光のうち、所定波長帯域の光である測定光を反射する。他の帯域の光は透過して、鏡筒１２０に配置された視準光学系２７０に入射する。光波距離計１００のオペレーターは、視準光学系２７０を用いて、視準を行うことができる。受光反射プリズム２５２は、第１光軸Ｏ１に４５度の角度で形成された反射面２５２ａを有し、ダイクロイックミラー２５１からの光を光ファイバ２６０に向け反射する。
【００３６】
このような光波距離計１００では、光センサー２６１で検出した測定物であるプリズム２８０からの測定光と、光ファイバ２６３からの内部参照光とに基づいて被測定物であるプリズム２８０までの距離を演算する。
【００３７】
次に絞り部材２２４の構成について説明する。図５は同光波距離計の絞り部材の構成を示す光波距離計の斜視図である。絞り部材２２４は、遮光性の薄板で構成され、光軸の一には第２光軸Ｏ２と直交する水平方向に伸びるスリット開口２２４ａが開設されている。このスリット開口２２４ａの高さ寸法ｈは、０．７ｍｍである。この寸法は、測定精度と、測定光の到達距離とのバランスで定められており、一般的に装置の種類によらず同程度である。スリット開口２２４ａが水平方向に形成されているため、光源２３０からコリメートレンズ２２１を経て入射された光束は、回折により鉛直方向に所定の寸法だけ伸びる。このため、光波距離計１００から射出される計測光は水平方向より鉛直方向が大きい範囲を照射する。
【００３８】
図５は同光波距離計の絞り部材の配置状態を示す斜視図である。絞り部材２２４は、アーム部材３２１の先端に取付けられている。アーム部材３２１は、回動軸３２２を中心に揺動可能であり、回動軸３２２は絞り駆動モータ３２３で揺動駆動される（図５中矢印ａ）。絞り駆動モータ３２３を駆動して絞り部材２２４を第２光軸Ｏ２に配置すると、プリズム２８０を使用するプリズムモードで使用でき、絞り部材２２４を上方に移動させて第２光軸Ｏ２から外すとノンプリズムモードで使用される。プリズムモードでは、精密測定が行え、被測定物にプリズム２８０を配置して測定を行い、ノンプリズムモードでは被測定物に直接測定光を照射して測定を行う。
【００３９】
また、ベース部１３０には、アーム部材３２１に接触してアーム部材３２１の絞り部材２２４取付け側端部の上下方向の位置を調整可能に設定する調整部材である絞り位置調整ねじ３２４が配置されている。この絞り位置調整ねじ３２４を回転することで、プリズムモードにあるアーム部材３２１の先端が上下に微動して（図５中矢印ｂ）、スリット開口２２４ａの上下方向の位置を微調整できる。
【００４０】
本実施形態に係る光波距離計１００では、絞り部材２２４の位置調整は基本的に不要であるが、絞り部材２２４の位置微調整を行うことで、光波距離計１００の状態をより良好なものとできる。本実施形態では、絞り位置調整ねじ３２４が未調整状態において、光束はスリット開口２２４ａの中央に許容誤差内で配置される。なお、この位置調整ねじ３２４を使用せず、ベース部１３０に位置決め部材を形成して、アーム部材３２１がこの位置決め部材に接触するようにして絞り部材２２４の位置調整を省略することができる。この構造によっても、絞り部材２２４をベース部１３０に配置するだけで充分な精度で絞り部材２２４のスリット開口２２４ａを配置することができる。このため、組み付け時に位置調整を省略でき、且つ位置調整部がない分経年変化に強い構造となる。
【００４１】
また、本実施形態に係る光波距離計１００では、図４に示すように、濃度フィルター３１０は、濃度勾配を形成した濃度勾配フィルム３１１と、濃度が一定、例えば透明な保護フィルム３１２とを重ねて、固定ねじ３１３を望遠鏡部１０３に配置されたベース部１３０の濃度フィルター取付部１３１に配置したものである。濃度勾配フィルム３１１及び保護フィルム３１２は合成樹脂フィルムで構成される。そして、保護フィルム３１２が回転しても、濃度勾配フィルム３１１は保護フィルム３１２につれて回転することがないよう、接合せずに取付けられる。
【００４２】
以下、絞り部材２２４のスリット開口２２４ａの高さ寸法ｈと、コリメートレンズ２２１から絞り部材２２４に照射される光束の直径ｄとついて詳細に説明する。図６に従来例として示した光波距離計４００は、絞り部材４４３のスリット開口の高さ寸法が０．７ｍｍであった。この光波距離計４００では、スリット開口の中心に対して、入射する光束の中心が±０．２ｍｍに収まるように調整していた。しかしながら、この調整位置を決めるには、位置調整ねじ３２４の位置が回動軸３２２からスリット開口２２４ａの中心までの半分位の位置にあるため、調整における許容範囲が±０．１ｍｍとなる。
【００４３】
このような許容量とすると、位置調整ねじ３２４としてＭ２のねじを使用した場合、ねじのピッチが０．４ｍｍであるため、１／４回転分の調整量となる。この精度は、ベース部１３０を金物型で作成する場合には難しい。もちろん、金型で作成したブランク材を後で切削加工等すれば、精度が出るもののコストが嵩むこととなる。
【００４４】
本実施形態では、絞り部材２２４への光束の直径を１４ｍｍ（従来の２倍）とすると、光束密度が１／４となるが、光束の直径方向の位置決め許容値２倍となる。このため、位置調整ねじ３２４の位置で、許容値も２倍、即ち±０．２ｍｍとなる。このような値であれば、ベース部１３０を金物型からのブランク材で後加工を施すことなく使用しても許容差精度となる。なお、現在の金物加工では、幅で０．３ｍｍ程度の公差内の製造が充分可能である。従って、従来に比して光束の直径を１．５倍とすれば、絞り部材２２４をベース部１３０に取付けた状態で、位置調整を行う必要がなくなる。
【００４５】
次に光源の強度について説明する。ここでは、従来に比して光束の直径ｄを２倍にした場合における測定到達距離に影響を考察する。
【００４６】
＜計算条件＞
発光パワー(対物出力)P0：           5mW（LD出力が光学系を通過した後の出力）
発光広角θ：                       14′（片側7′）≒ 0.233333°
受光対物径φ：                     50mm（距離計本体の受光用対物有効径）
大気減衰係数β：                   0.127（無次元）／視程20km相当／波長690nm時
規程到達距離L：                    2000m（製品仕様／視程20km時）
受光感度（最低動作光量）η0：      1nW（機械本体の対物入力時光量）
【００４７】
＜到達距離計算式＞
今以下の式で計算された光量が機械に戻ってくる光量なので、
その値（受光光量）を“η”とすると、
η= P0×（φ/2Ltanθ）2×EXP（-2βL/1000） …（１）
となる（上記式の到達距離Lの前に係数２は、実際の光束が通過する道のりが、測定距離の往復になるので、測定距離の2倍になるため）。
【００４８】
ここで上記計算値ηが、η0≦η  …（２）
の条件を満たせば規程の距離まで到達することとなり、機械到達仕様を満たす。なお、（１）式の前半部分は測定距離を往復した際の戻り光の受光像径と実機の有効受光径の面積比率を計算している部分であり、後半の指数部分は大気減衰分を計算した項である。大気減衰計算で使用する距離の単位は“km”となるため、内部でLを1/1000にしている。また“大気減衰係数β”は発光波長により異なるが、ここではβの計算式は割愛する。但し、波長が長くなるとβが小さくなる傾向にある。（大気の影響を受け難い）
【００４９】
条件及び計算式に基づいて計算してみる。
η= 5×10-3×（50×10-3/（2×2000×tan(0.233333)）2×EXP（-2×0.127×2））
= 5×10-3×9.421×10-6×0.60167 = 28.3416×10-9 [W]  …（３）
【００５０】
計算値より、（３）の値が算出された。
この値は、約28 [nW]なので、上記“計算条件”での最低動光量である、“1 [nW]”よりも、約28倍大きな値であることがわかる。
【００５１】
よってこの結果に鑑みて、本実施形態に係る光波距離計１００において、絞り部材２２４への光束の直径を２倍にして、スリット開口を通過する光量が１／４になったとしても、
28 [nW]×1/4 = 7 [nW] …（４）
となり、最低動作光量の“1 [nW]”の約7倍の光量が見込め、距離測定可能な基準値を満たす。このため、機械の到達距離仕様を充分満たすことがわかる。
【００５２】
以上のように、実施形態に係る光波距離計１００によれば、スリット開口の光軸に対する位置変化の許容度が大きくなので、製造時において絞り部材を、位置の調整をしないで取付けベースに取付けたとしてもスリット開口の取付け位置を基準内に収めることができる他、経年変化による絞り部材の位置変化は、基準内に収まり、製造時や経年使用時において絞り部材の位置調整を行わなくとも距離測定を正確に行うことができる。
【符号の説明】
【００５３】
１００：光波距離計
１１０：筐体
１２０：鏡筒
１３０：ベース部
１３１：濃度フィルター取付部
２００：光学系
２１０：対物レンズ系
２２０：射出光学系
２２４：絞り部材
２２４ａ：絞り開口
２３０：光源
２４０：射出反射光学系
２４１：反射鏡
３１０：濃度フィルター